(57)【要約】【課題】エラー隠避処理やエラー訂正処理機能を搭載した携帯型のデジタル放送受信機において、十分な受信感度が得られる場合にエラー隠蔽処理やエラー訂正処理を行うことは、無駄な電力を消費することになる。【解決手段】視聴データにエラーがあった場合にはそのエラーを隠蔽または訂正する機能を有するデジタル放送受信機において、電波状況等が良好でエラー隠蔽またはエラー訂正が不要な際には、これらの機能を停止可能とすることにより、消費電力を削減できる。【選択図】図１
2007053575.tif 000002
【特許請求の範囲】
【請求項１】
放送データを受信する受信手段と、
前記受信した放送データの受信状態を検出する検出手段と、
前記受信した放送データの再生エラーを人間が検知しづらくするエラー隠蔽処理を行う隠蔽処理手段と、
前記受信した放送データの受信状態は悪いと前記検出手段で検出された場合、その放送データについてエラー隠蔽処理を施させる一方、前記受信した放送データの受信状態は良いと前記検出手段で検出された場合、その放送データについてエラー隠蔽処理を施させないよう、前記隠蔽手段を制御する制御手段と、
を備える放送受信装置。
【発明の詳細な説明】
【技術分野】
【０００１】
本発明は、デジタル放送受信機に関し、特に、エラー隠蔽処理機能を有するデジタル放送受信機に関するものである。
【背景技術】
【０００２】
現在、地上デジタル放送のサービスエリアが徐々に拡大されつつある。携帯機器や移動体においてデジタル放送を受信する場合、機器の移動に伴い電波状況等が変化し十分な感度が得られない可能性があり、電波状況が悪い場合における視聴データへの悪影響を軽減する取り組みが必要となる。このような取り組みの一つとして、視聴データの再生エラーを人間が検知しづらくするエラー隠蔽処理がある。
【０００３】
エラー隠蔽処理は、デジタル放送に限らずVoIP、VOD、ストリーミング、テレビ会議、監視カメラ等広く応用されている。エラー隠蔽処理は、主に送信装置に特徴のあるものと受信装置に特徴があるものとに大別される。送信装置に特徴のあるものとしては、ステガノグラフィ（画像深層信号）または電子透かしを用いるものがある。
【０００４】
受信装置に特徴のあるものとしては、さらに映像信号の場合の処理と音声信号の場合の処理に分類できる。映像信号の場合、時間的相関を用いるものと空間的相関を用いるものがある。特に映像信号は、時間的相関が強いものが多く比較的単純な方法でも効果を発揮する可能性がある。この例としては、エラーの発生したフレームを１つ前のフレームに置き換える方法がある。また空間的相関を用いるものの例としては、エラーが発生したブロックについて、上下左右等周辺のブロックよりコピーし修復を行う方法がある。音声信号の場合、音声データの定常性から基準となるテンプレートとの相関が大きい部分を検索し、この部分の音声データを置換データとして、エラーが発生したフレームにコピーする波形置換法などがある。
【０００５】
一方、携帯機器は電池等で駆動することから、省電力化は非常に重要である。従来、携帯型の放送受信機の電力を削減するために、電波状況等により正常な出力が得られない場合には内部回路の処理を部分的に停止可能とするといった方法が提案されている（例えば、特許文献１参照）。視聴を希望する放送が受信できない場合であれば、このような方法は有効である。
【特許文献１】特開2003-158691号公報
【発明の開示】
【発明が解決しようとする課題】
【０００６】
本発明が解決しようとする課題は、エラー隠避処理やエラー訂正処理機能を付加した携帯型の放送受信機において、電波状況が芳しくない場合には感覚的な視聴データの品質を向上できるが、電波状況が良く十分な受信感度が得られる場合には、視聴データの品質には影響が無く無駄な電力を消費することである。
【課題を解決するための手段】
【０００７】
上記目的を達成するために、本発明の放送受信装置は、放送データを受信する受信手段と、前記受信した放送データの受信状態を検出する検出手段と、前記受信した放送データの再生エラーを人間が検知しづらくするエラー隠蔽処理を行う隠蔽処理手段と、前記受信した放送データの受信状態は悪いと前記検出手段で検出された場合、その放送データについてエラー隠蔽処理を施させる一方、前記受信した放送データの受信状態は良いと前記検出手段で検出された場合、その放送データについてエラー隠蔽処理を施させないよう、前記隠蔽手段を制御する制御手段と、を備える。
【発明の効果】
【０００８】
本発明のエラー隠蔽機能付放送受信機は、電波状況等に応じてエラー隠蔽処理やエラー訂正処理を省略することで、受信感度が良好な場合における消費電力を削減できる。
【発明を実施するための最良の形態】
【０００９】
携帯型のデジタル放送受信機において、エラー隠蔽処理やエラー訂正処理等の付加機能を搭載しつつも消費電力を削減するという目的を、電波状況に応じてエラー隠蔽処理やエラー訂正処理等の機能が必要か否かの判定を行い、電波状況が良く良好な視聴データを得られる場合には、エラー隠蔽処理やエラー訂正処理等の付加機能の処理を停止することで実現した。
【００１０】
（実施の形態１）
図１は、本発明の実施の形態１に係る放送受信機の構成を示すブロック図である。図１において、１０１はアンテナ、１１１は選局手段、１１２はOFDM復調手段、１１３は多重分離手段、１１４はエラー隠蔽機能付映像復号手段、１１５はエラー隠蔽機能付音声復号手段、１２１はエラー隠蔽手段である。
【００１１】
以上のように構成したエラー隠蔽機能付放送受信機の動作を、図２を用いて説明する。
【００１２】
アンテナ１０１は、受信したデジタル放送信号を放送受信信号として出力する。選局手段１１１は、アンテナを介して広帯域に受信される受信信号から視聴を希望するチャンネル帯域の信号を抽出し、選局信号として出力する（Ｓ１１）。ＯＦＤＭ復調手段１１２は、選局信号に対してＯＦＤＭ復調と誤り訂正を行いトランスポートストリーム信号として出力する。さらに入力された選局信号の品位に基づき感度情報も出力する（Ｓ１２）。一般にデジタルテレビ放送の受信特性の評価にはビットエラーレートやＣＮ比が用いられる。よって本実施例の感度情報には、このビットエラーレートを用いる。しかしながら感度情報は、ビットエラーレートに限定する必要はなく、ＣＮ比等の他の値であっても良い。
【００１３】
多重分離手段１１３は、トランスポートストリーム信号に内包された映像信号を抽出しビデオエレメンタリストリーム信号として出力し、さらにトランスポートストリーム信号に内包された音声信号を抽出しオーディオエレメンタリストリーム信号として出力する（Ｓ１３）。
【００１４】
エラー隠蔽処理制御手段１２１は、感度情報によって通知される感度が予め設定した値よりも低下し場合には、エラー隠蔽イネーブル信号をイネーブルにし、感度が予め設定した値以上の場合には、エラー隠蔽イネーブル信号をディセーブルにする（Ｓ１４）。
【００１５】
エラー隠蔽イネーブル信号をディセーブルの場合、エラー隠蔽処理は行わないで、映像信号や音声信号を複合する（Ｓ１５）。
【００１６】
エラー隠蔽機能付映像復号手段１１４は、初めにビデオエレメンタリ信号の復号を行う。さらに、エラー隠蔽イネーブル信号がエラー隠蔽処理のイネーブルを示している場合には、先の復号の際にエラーがあれば、この復号結果に対してエラー隠蔽処理を行い、その結果を映像信号として出力する（Ｓ１６）。
【００１７】
復号された映像のエラー隠蔽処理手段については、本明細書の背景技術で述べたとおり、エラーの発生した箇所では前のフレームの映像を再利用する等の様々な方法が提案されている。ここでは、先に述べた受信装置に特徴のあるエラー隠蔽手段を前提として説明する。しかしながら、エラー隠蔽の方法については特に限定する必要はない。
【００１８】
エラー隠蔽機能付音声復号手段１１５は、初めにオーディオエレメンタリ信号の復号を行う。さらに、エラー隠蔽イネーブル信号がエラー隠蔽処理のイネーブルを示している場合には、先の復号の際にエラーがあれば、この復号結果に対してエラー隠蔽処理を行い、その結果を音声信号として出力する（Ｓ１６）。
【００１９】
復号された音声のエラー隠蔽処理手段については、本明細書の背景技術で述べたとおり、波形置換法等の様々な方法が提案されている。ここでは、先に述べた受信装置に特徴のあるエラー隠蔽手段を前提として説明する。しかしながら、エラー隠蔽の方法については特に限定する必要はない。
【００２０】
このような実施の形態を採用したので、電波状況に応じてエラー隠蔽処理やエラー訂正処理等の機能が必要か否かの判定を行い、電波状況が良くエラーの無い視聴データを得られる場合には、エラー隠蔽処理やエラー訂正処理等の付加機能の処理を停止する。
【００２１】
このことから、エラー隠蔽処理やエラー訂正処理等の付加機能を搭載しつつも消費電力を削減することができる。
【００２２】
なお、本実施の形態では、地上デジタルテレビ放送を前提に説明を行ったが、ＢＳやＣＳなどの衛星を用いたデジタルテレビ放送であっても同様の効果を得ることができる。
【産業上の利用可能性】
【００２３】
本発明のエラー隠蔽処理機能付放送受信機は、エラー隠蔽処理やエラー訂正処理等の付加機能を搭載しつつも消費電力を削減することができる。このため特に受信条件が一定でない可能性の高く、消費電力の削減が重要な携帯型のデジタル放送受信機において有効である。
【図面の簡単な説明】
【００２４】
【図１】本発明の実施の形態１におけるエラー隠蔽処理機能付放送受信機の構成を示すブロック図
【図２】本発明の実施の形態１におけるエラー隠蔽処理機能付放送受信機の動作を説明するためのフローチャート
【符号の説明】
【００２５】
１０１    アンテナ
１１１    選局手段
１１２    OFDM復調手段
１１３    多重分離手段
１１４    エラー隠蔽処理機能付映像復号手段
１１５    エラー隠蔽処理機能付音声復号手段
１２１    エラー隠蔽制御手段
【図１】
2007053575.tif 000003
【図２】
2007053575.tif 000004